(57)【要約】      （修正有）【課題】径の異なる複数のねじに対して座金として使用できるようにするとともに、座金とは別の便利な機能を付加した座金を提供する。【解決手段】座金１０は、個々に座金として機能する大径座金部分１１及び小径座金部分１２を有する。大径座金部分１１及び小径座金部分１２はそれぞれ通孔１４付きの環状部１３及び通孔１６付きの環状部１５から構成され、環状部１３，１５は、相互に所定の傾斜角度を有しつつ、連結箇所の側縁がくぼみ１７を形成するように、外周縁において相互に連結されている。大径座金部分１１及び小径座金部分１２の内、一方の座金部分にはねじが挿通されて、座金１０が所定の部材に締着される。他方の座金部分の通孔には工具を筐体に紐付けするワイヤが通される。くぼみ１７は、ねじを締め回す際の座金１０の連れ回り防止のために工具又は指を当てる係止部として利用される。【選択図】図１
0003167276.tif 000002
【実用新案登録請求の範囲】
【請求項１】
板状部材から成る座金であって、
第１外径及び第１内径を有する第１環状部と、
第２外径及び第２内径を有する第２環状部と、
を有し、
前記第１及び第２環状部は、相互に所定の傾斜角度をなしてかつ連結箇所の側縁がくぼみを形成するように、外周の一部が一体に連結されており、
前記第１及び第２内径は異なる径とされ、
前記第１及び第２環状部はそれぞれ異なる径のねじに対する座金として機能可能になっていることを特徴とする座金。
【請求項２】
請求項１記載の座金において、
前記連結箇所は所定長さの板状の連結部となっており、
前記連結部は、一端側において前記第１及び第２環状部の一方と前記所定の傾斜角度を有して連結し、他端側において前記第１及び第２環状部の他方と同一平面に揃わされて連結していることを特徴とする座金。
【請求項３】
請求項１又は２記載の座金において、
前記第１外径は７ｍｍ〜１８ｍｍの範囲内の値であり、
前記第２外径は４ｍｍ〜１０ｍｍの範囲内の値であり、
前記第１内径は３．２ｍｍ〜８．５ｍｍの範囲内の値であり、
前記第２内径は２ｍｍ〜５ｍｍの範囲内の値であることを特徴とする座金。
【請求項４】
請求項１〜３のいずれか１項に記載の座金において、
前記所定の傾斜角度は３０°〜４５°の範囲内の値であることを特徴とする座金。
【考案の詳細な説明】
【技術分野】
【０００１】
本考案は、付加的な機能を装備する座金に関する。
【背景技術】
【０００２】
一般の座金は、ねじを挿通される通孔を１つだけ有し、座金としてだけに使用するものとなっている。
【０００３】
特許文献１は、ボルトに挿通されて鉄塔部材とナットとの間で挟圧される移動用ロープ取付金具を開示する。該移動用ロープ取付金具は、ボルトに挿通されて鉄塔部材とナットとの間で挟圧される第１環状部と、該第１環状部へ所定の角度を有して連結し移動用ロープの一端のフックを掛けられる第２環状部とを備え、作業者が落下したときの該作業者の体重に耐えられる強度となるように十分な厚みを有している。
【先行技術文献】
【特許文献】
【０００４】
【特許文献１】実公昭６１−２８６３５号公報
【考案の概要】
【考案が解決しようとする課題】
【０００５】
従来の座金は、座金としてしか使用することができない。一方、特許文献１の移動用ロープ取付金具の形状をそのまま座金の形状に適用した場合、使用できるねじは、径が同一の１種類のものに限定されてしまう。
【０００６】
本考案の目的は、径の異なる複数種のねじに対応できるようにするとともに、座金以外の便利な機能を付加した座金を提供することである。
【課題を解決するための手段】
【０００７】
第１考案の座金は、板状部材から成る座金であって、第１外径及び第１内径を有する第１環状部と、第２外径及び第２内径を有する第２環状部と、を有し、前記第１及び第２環状部は、相互に所定の傾斜角度をなしてかつ連結箇所の側縁がくぼみを形成するように、外周の一部が一体に連結されており、前記第１及び第２内径は異なる径とされ、前記第１及び第２環状部はそれぞれ異なる径のねじに対する座金として機能可能になっていることを特徴とする。
【０００８】
第１考案によれば、第１及び第２環状部は相互に異なる内径となっているので、径の異なる２種のねじに対する座金として使用することができる。また、座金として使用しない方の環状部は、工具等の所定の物品を紐付けしたり、フック付けしたりする時の備品取付け用の係止孔として使用することができる。そして、第１及び第２環状部が所定の角度で連結していることにより、紐付け等する際には、座金として使用しない方の環状部は、座金としている方の環状部が取付けられる取付面との間に所定の間隙を形成することになるので、該間隙を介して紐付け等の作業がやり易くなる。
【０００９】
さらに、ねじを、一方の環状部に挿通して、締め回す際、座金全体が連れ回りし易いが、連結箇所のくぼみを係止具や指による係止箇所に利用すれば、環状部の円形縁を係止具により係止する場合に比して、係止具が滑り難くなり、連れ回りを能率的に防止することができる。これにより、備品取付け部に使用する方の環状板部を的確な向きに能率的に合わせることができる。
【００１０】
第２考案の座金は、第１考案の座金において、  前記連結箇所は所定長さの板状の連結部となっており、前記連結部は、一端側において前記第１及び第２環状部の一方と前記所定の傾斜角度を有して連結し、他端側において前記第１及び第２環状部の他方と同一平面に揃わされて連結していることを特徴とする。
【００１１】
第２考案によれば、一方の環状部が座金として使用される場合、他方の環状部は、一方の環状部が接触している取付面からの距離が、一方の環状部と連結部との間の所定の角度で連結部の長さの相当分だけ増加するので、座金として利用していない他方の環状部への紐等の取付が能率的となる。
【００１２】
第３考案の座金は、第１又は第２考案の座金において、前記第１外径は７ｍｍ〜１８ｍｍの範囲内の値であり、前記第２外径は４ｍｍ〜１０ｍｍの範囲内の値であり、前記第１内径は３．２ｍｍ〜８．５ｍｍの範囲内の値であり、前記第２内径は２ｍｍ〜５ｍｍの範囲内の値であることを特徴とする。
【００１３】
第３考案によれば、指先ほどの寸法の座金は、それに挿通されるねじが２つの部材を結合するねじとしてではなく、該座金のみを所定の部材に取り付けるねじとして使用されて、紐付けやフック掛け等に利用することができる。また、その場合に、座金は、径の異なる複数種のねじに対応することができる。
【００１４】
第４考案の座金は、第１〜第３考案のいずれか１つの考案の座金において、前記所定の傾斜角度は３０°〜４５°の範囲内の値であることを特徴とする。
【００１５】
第４考案によれば、座金として利用しない方の環状部が、邪魔な出っ張りとならないように、かつ座金が取り付けられる部材との間に適切な寸法の間隙を形成するようにすることができる。
【図面の簡単な説明】
【００１６】
【図１】座金の構成図。
【図２】座金の各諸元の寸法を示す図。
【図３】座金の使用状態を示す図。
【図４】座金の小径座金部分への別の係止例を示す図。
【図５】別の座金の構成図。
【考案を実施するための形態】
【００１７】
図１（ａ）、（ｂ）及び（ｃ）はそれぞれ座金１０の正面図、右側面図及び斜視図であり、座金１０は、外周部の１箇所で相互に連結する大径座金部分１１及び小径座金部分１２を備え、一体の板部材からパンチ加工等により製作される。大径座金部分１１及び小径座金部分１２はそれぞれ中心に通孔１４，１６をもつ環状部１３，１５を有している。
【００１８】
座金１０は、円形の通孔１４，１６の中心を通りかつ大径座金部分１１及び小径座金部分１２の面の両方に対して直角の平面を対称面とする面対称の構造となっている。該対称面に対して直角方向を座金１０の幅方向と定義すると、座金１０は、幅が大径座金部分１１及び小径座金部分１２の連結箇所において極小となっていて、該連結箇所において幅方向両側の縁はくぼみ１７を形成している。
【００１９】
大径座金部分１１及び小径座金部分１２は個々に座金として機能する構造を有しているとともに、大径座金部分１１及び小径座金部分１２の通孔１４，１６は相互に異なる径に選定されているので、座金１０は大小２種の径のねじに対応した座金となる。
【００２０】
図１（ａ）において、各記号は次の諸元を表す。
ｄ：大径座金部分１１の内径
Ｄ：大径座金部分１１の外径
ｖ：小径座金部分１２の内径
Ｂ：小径座金部分１２の外径
図１（ｂ）におけるθは、小径座金部分１２側への大径座金部分１１の延長方向に対する小径座金部分１２の張出し方向の角度を連結角度として示し、例えば３０°〜４５°の範囲内の値とされる。
【００２１】
図２において座金１０は例えばｔｗと仮称され、諸元の値が異なるもの同士を３，４，５，６，８の仮の呼び名で識別する。ｔｗ３はｔｗの内、径が最小のものであり、ｔｗ８は径が最大のものになっている。図２の各諸元の値は、図示のとおりであり、単位はｍｍとなっている。
【００２２】
図３では、座金１０において、大径座金部分１１を座金本来の機能のために使用し、小径座金部分１２を備品取付け部として使用している。なお、ボルト２１の径によっては、小径座金部分１２を座金本来の機能のために使用し、大径座金部分１１を備品取付け部として使用することもできる。
【００２３】
図３において、ボルト２１は、大径座金部分１１の通孔１４に挿通される。そして、ボルト２１は、先端を筐体２０のねじ孔に当てられてから、締め回され、該ねじ孔に螺着され、大径座金部分１１の環状部１３を該取付面に締着する。
【００２４】
ボルト２１を締め回す際、座金１０は、ボルト２１と共に連れ回りし易く、備品取付け部として使用する方の小径座金部分１２が不適切な向きになってしまう。そこで、作業者は、係止工具の先端又は指を一方又は両方のくぼみ１７に当てて、座金１０を係止し、座金１０の回転を阻止しつつ、ボルト２１を締め回す。これにより、作業者は、小径座金部分１２を適切な向きに能率的に設定することができる。
【００２５】
筐体２０は、例えば、工場の機械装置や備品、家庭内の家具、ラック、電化製品等、車両内の部材、屋外の人口品、又は建築物の壁等である。ボルト２１が螺着する筐体２０側のねじ孔は、典型的には筐体２０に元々存在していたものが利用される。ボルト２１は、本来的には所定の部材（図示せず）を筐体２０の所定箇所に締着させる締着具であり、座金１０は、該締着具に対する従来の座金（通孔が１つだけの座金）に代えて使用されるとともに、座金として使用していない小径座金部分１２は、次に説明する紐付け等の備品取付け部として使用される。なお、ボルト２１は、座金１０のみを筐体２０に取り付けること専用に使用することも可能である。
【００２６】
ワイヤ２４は、中間において所定長さ、延びるワイヤ部２５と、ワイヤ部２５の両端に設けられるループ２６，２７とを備え、ループ２６において小径座金部分１２の通孔１６に通されて、座金１０に係止されている。図３では、ループ２６は、ループとして図示されているが、通孔１６に通される前は、端付きの線材であり、該線材の端を環状部１５に通して、折り返してから、該端を留め部材や固着部材や固着バンドで該線材の基部に抜け止めのために固定して、ループとされる。
【００２７】
一方、工具２８は、その基部の孔においてワイヤ２４のループ２７を挿通されて、ワイヤ２４を紐付けされている。典型的には、工具２８はワイヤ２４を介して筐体２０から吊り下げられている。こうして、工具２８は、ワイヤ２４を介して筐体２０に紐付けされている結果、紛失が防止されたり、作業者か、工具２８を置いた場所を忘れて、工具２８の次の使用時に工具２８が見つからない事態を防止することができる。
【００２８】
図３の例では、工具２８は、使用中もワイヤ２４による筐体２０への紐付けを維持されるので、工具２８の作業範囲は、筐体２０からワイヤ２４の長さの範囲内に限定される。しかしながら、ループ２６，２７の少なくとも一方をフックとし、工具２８の使用中は、フックを外すことにより、筐体２０への工具２８の紐付けを解除して、筐体２０から十分に離れた作業箇所に工具２８を持って行けるようにすることもできる。
【００２９】
図３では、ボルト２１の軸部が大径座金部分１１の通孔１４に挿通され、大径座金部分１１が座金として、小径座金部分１２が備品取付け部として、それぞれ使用されている。これに対し、軸部の径がボルト２１のものとは異なるボルトに対しては、該ボルトを小径座金部分１２の通孔１６に通して、小径座金部分１２を筐体２０に固定させ、小径座金部分１２が座金として、大径座金部分１１が備品紐付け部として、それぞれ使用する。
【００３０】
図４（ａ）は座金１０に引張ばね３１を係止した状態を示す説明図である。図４（ａ）において、引張ばね３１は、中間のコイル部３２と、両端のフック３３（座金１０側の端のみ図示）とを有し、フック３３を通孔１６に掛けて、係止する。引張ばね３１の座金１０とは反対側のフック３３（図示せず）は工具２８（図２）の係止孔に掛けられており、工具２８の不使用時は、コイル部３２がばね縮減力により長さを縮小して、引張ばね３１全体がコンパクトになるようになっている。一方、工具２８の使用時では、作業者が工具２８を引っ張るので、コイル部３２が作業者から引張り力で長さを増大し、結果、作業者は、工具２８を筐体２０に紐付けしたまま、筐体２０から十分に離れた作業箇所まで工具２８を移動させることができる。
【００３１】
図４（ｂ）は座金１０にストリップ３５を結び付けた状態を示す説明図である。図４（ｂ）において、ストリップ３５は、全体が１つのループを構成し、該ループの１箇所にＵターン部を形成し、該Ｕターン部の先端を通孔１６に通してから、該Ｕターン部を広げて、該Ｕターン部の中へストリップ３５の他の残部を通して、引っ張り出すことにより、該Ｕターン部が縮閉して小径座金部分１２に結合される。
【００３２】
次に、他の実施形態の座金４０について説明する。図５（ａ）及び（ｂ）はそれぞれ座金４０の正面図及び右側面図である。座金４０と図１の座金１０との構造上の差異は、座金４０は大径座金部分４１と小径座金部分４２との間に連結板部４７を有していることである。
【００３３】
座金４０は、外周部の１箇所で相互に連結する大径座金部分４１及び小径座金部分４２を備え、それらを相互に連結する連結板部４７とを備え、一体の板部材からパンチ加工等により製作される。大径座金部分４１及び小径座金部分４２はそれぞれ中心に通孔４４，４６をもつ環状部４３，４５を有している。
【００３４】
大径座金部分４１及び小径座金部分４２の諸元の値は座金１０の大径座金部分１１及び小径座金部分１２の場合と同一である。また、座金４０の大径座金部分４１及び小径座金部分４２が共に座金として機能すること、及び座金４０が径の異なる２種のねじに対する座金に対応できることも、座金１０の場合と同一である。
【００３５】
座金４０の幅方向を、座金１０の場合の幅方向と同様に、座金４０の対称面に対して直角方向とすると、座金４０は、連結板部４７において上下方向両側の大径座金部分４１及び小径座金部分４２に対して幅を減少しており、座金１０のくぼみ１７のようなくぼみを形成している。したがって、作業者は、連結板部４７を、座金１０のくぼみ１７の場合と同様に、ボルト２１の締め回しの際の座金４０の連れ回りを防止するための係止部として使用することができる。
【００３６】
連結板部４７は、小径座金部分４２とは同一平面に揃えられているが、大径座金部分４１へは角度θ（図５（ｂ））で連結している。該θは、座金１０の場合（図１（ｂ））と同じく３０°〜４５°の範囲内の値となっている。
【００３７】
連結板部４７の存在により、小径座金部分４２は、座金１０の小径座金部分１２よりも筐体２０の取付面から大きく離れることができる。結果、小径座金部分４２の通孔４６へ紐を通したり、フックを掛けたりすることが容易になる。
【００３８】
図５の座金４０では、小径座金部分４２と連結板部４７とは同一平面となるように面を揃えられているが、小径座金部分４２と連結板部４７との間にも所定の角度を付けて、小径座金部分４２の面の向き（小径座金部分４２の面に対する法線の方向）を変更することができる。その場合、小径座金部分４２の板面を大径座金部分４１の板面に対して平行にすることができる。
【００３９】
座金１０，４０では、環状部は２つずつしか設けられていないが、３つ以上設けることもできる。その場合に、１つの環状部を中心に周方向へ他の環状部を等角度間隔で配置したり、一方の半周側のみに配置したり、３以上の環状部を直列に並べたりすることができる。
【００４０】
筐体２０に紐付けされるものは、工具２８以外に、筆記具、説明書、印鑑、キー、又はリモコン等の他、スライドガイドのようないわゆるＦＡ用製品とすることもできる。
【符号の説明】
【００４１】
１０・・・座金、１１・・・大径座金部分、１２・・・小径座金部分、１３・・・環状部、１４・・・通孔、１５・・・環状部、１６・・・通孔、１７・・・くぼみ、４０・・・座金、４１・・・大径座金部分、４２・・・小径座金部分、４３・・・環状部、４４・・・通孔、４５・・・環状部、４６・・・通孔、４７・・・連結板部。
【図１】
0003167276.tif 000003
【図２】
0003167276.tif 000004
【図３】
0003167276.tif 000005
【図４】
0003167276.tif 000006
【図５】
0003167276.tif 000007